(57)【特許請求の範囲】
【請求項１】
入力画像に拡大縮小処理を施してデジタル画像を出力する画像処理装置において、
出力画像における格子ノイズの発生率を予測する格子ノイズ発生率予測手段と、
上記格子ノイズ発生率予測手段により予測された格子ノイズの発生率に基づき決定された強度でぼかし処理を行うぼかし処理手段とを備え、
上記ぼかし処理手段によるぼかし処理は、拡大縮小処理の前に行われるとともに、
上記格子ノイズ発生率予測手段は、入力画像の濃度に基づいて格子ノイズの発生率を予測することを特徴とする画像処理装置。
【請求項２】
上記入力画像の濃度は、該入力画像の平均濃度であることを特徴とする請求項１に記載の画像処理装置。
【請求項３】
入力画像の濃度が最大値あるいは最小値に近づくにしたがって、格子ノイズの発生率が上昇する予測テーブルを用いて、格子ノイズの発生率を予測することを特徴とする請求項１または２に記載の画像処理装置。
【請求項４】
入力画像に拡大縮小処理を施してデジタル画像を出力する画像処理方法において、
出力画像における格子ノイズの発生率を予測するとともに、予測された格子ノイズの発生率に基づき決定された強度でぼかし処理を行い、かつ、
上記ぼかし処理は、拡大縮小処理の前に行われ、
入力画像の濃度に基づいて格子ノイズの発生率を予測することを特徴とする画像処理方法。
【請求項５】
上記入力画像の濃度は、該入力画像の平均濃度であることを特徴とする請求項４に記載の画像処理方法。
【請求項６】
入力画像の濃度が最大値あるいは最小値に近づくにしたがって、格子ノイズの発生率が上昇する予測テーブルを用いて、格子ノイズの発生率を予測することを特徴とする請求項４または５に記載の画像処理方法。
【請求項７】
請求項４ないし６のいずれか１項に記載の画像処理方法をコンピュータに実行させるためのプログラム。
【請求項８】
請求項７に記載のプログラムを記録したコンピュータ読み取り可能な記録媒体。
【発明の詳細な説明】
【０００１】
【発明の属する技術分野】
本発明は、たとえばフィルムのような写真フィルムに記録された画像の画像データに画像処理を施して写真焼付装置に供給する画像処理装置、画像処理方法、画像処理プログラム、および画像処理プログラムを記録した記録媒体に関する。特に、出力画像の格子ノイズを低減する鮮鋭化処理を行う画像処理装置、画像処理方法、画像処理プログラム、および画像処理プログラムを記録した記録媒体に関する。
【０００２】
【従来の技術】
従来から、フィルムに記録された画像を印画紙に焼き付ける写真焼付装置として、フィルムを介して印画紙を直接露光するアナログプリンタや、フィルムに記録された画像をＣＣＤ（charge coupled device）等の撮像デバイスで一旦読み取り、得られた画像データに基づいて印画紙を露光するデジタルプリンタが種々提案されている。特に、デジタルプリンタは、画像データに対して色補正や濃度補正等の画像処理を行う画像処理装置と組み合わせて用いることで、アナログプリンタでは実現できないような色補正や濃度補正等を行うことができるとともに、顧客の要望に応じた画像を容易かつ迅速に得ることができるという利点があり、現在広く用いられている。
【０００３】
このようなデジタルプリンタは、画像データに対して色補正や濃度補正、階調変換等の画像処理を行う画像処理装置と組み合わせて用いることで、アナログプリンタでは実現できないような色補正、濃度補正、階調変換等を行うことが可能となっている。したがって、デジタルプリンタは、上記の画像処理装置と共に用いることによって、顧客の要望に応じた画像を容易にかつ迅速に提供することができるという利点を有している。
【０００４】
上記の画像処理装置において、デジタル画像のサイズを拡大縮小する場合、線型補間（バイリニア）法、３次元補間（バイキュービック）法によって補間画素を求めることによって、画素数を変化させる手法が広く行われている。
【０００５】
上記の線型補間法、あるいは３次元補間法のいずれの場合も、拡大後の画像における画素のデータを、周囲の拡大前の画像における画素のデータに基づいて補間演算を行うことにより算出する。
【０００６】
ここで、上記の線型補間法について詳細により説明する。すなわち、元画像の画素値がP(i,j)（i,jは座標値）で表されており、この元画像をｒ倍した拡大（縮小）画像の画素値Q(x,y)を計算する場合を説明する。なお、ｒ＞１のときには拡大処理、０＜ｒ＜１のときには縮小処理となる。このとき、Q(x,y)は次に示す（１）式によって求められる。
Q(x,y)=(1-t)｛(1-s)P(i,j)+sP(i+1,j) ｝
+t｛(1-s)P(i,j+1)+sP(i+1,j+1) ｝      …（１）
なお、上記（１）式において、i＝[x/r]，j＝[y/r]（[ａ]は、ａ以下で最大の整数を表す），s＝x/r-i，ｔ=y/r-jである。
【０００７】
上記（１）式の関係を図示したものが図８である。同図に示すように、Q(x,y)が、元画像における４点P(i,j)，P(i+1,j)，P(i,j+1)，P(i+1,j+1)を結ぶ四角形の内部領域における特定の位置に相当する画素値を有することになるとする。この特定の位置は、ｘ座標が、P(i,j)とP(i+1,j)とをｓ：１−ｓに分割する位置であり、ｙ座標が、P(i,j)とP(i,j+1)とをｔ：１−ｔに分割する位置となっている。
【０００８】
ここで、（１）式右辺第１項における、(1-S)P(i,j)+sP(i+１,j)は、同図中におけるＡ点、すなわち、P(i,j)とP(i+１,j)とをｓ：１−ｓに分割する点の画素値を示している。また、（１）式右辺第２項における、(1-s)P(i,j+１)+sP(i+１,j+１)は、同図中におけるＢ点、すなわち、P(i,j+1)とP(i+1,j+1)とをｓ：１−ｓに分割する点の画素値を示している。そして、Q(x,y)は、Ａ点とＢ点とをｔ：１−ｔに分割する点の画素値であることから、上記（１）式が設定される。
【０００９】
上記の線型補間法において、Q(x,y)に相当する画素の位置が、元画像における点P(i,j)に一致するような場合、すなわち、s=t=0である場合には、P(i,j)の画素値がそのままQ(x,y)の画素値に用いられることになる。一方、Q(x,y)に相当する画素の位置が、元画像における４点P(i,j),P(i+1,j),P(i,j+1),P(i+1,j+1)を結ぶ四角形の内部領域における中心点に位置する場合、すなわち、S=t=0.5である場合には、これら４点の画素値の平均値がQ(x,y)の画素値となる。
【００１０】
このように、Q(x,y)に相当する画素の位置が、元画像における４点P(i,j),P(i+1,j),P(i,j+1),P(i+1,j+1)のいずれかに近ければ近いほど、Q(x,y)の画素値が、その近い点の画素値の割合が高い値となる。この場合には、元画像の画素値に近い値が、拡大（縮小）画像における画素値として用いられることになり、鮮鋭度の変化は少ないことになる。
【００１１】
一方、Q(x,y)に相当する画素の位置が、元画像における上記の４点を結ぶ四角形の内部領域の中心位置に近ければ近いほど、Q(x,y)の画素値が、元画像におけるより多くの画素の画素値の影響を受けた値となる。この場合には、元画像におけるいくつかの画素の値を足し合わせて拡大（縮小）画像の画素値を求めていることになる。このような処理は、画像を平滑化する処理に相当することになるので、このようにして算出された画素領域は、鮮鋭度が若干落ちた画像となる。
【００１２】
すなわち、Q(x,y)に相当する画素の位置が、元画像における上記の４点を結ぶ四角形の内部領域の中心位置に近ければ近いほど、元画像中に含まれているノイズは平滑化により弱められて出力される。一方、Q(x,y)に相当する画素の位置が、元画像における４点P(i,j),P(i+1,j),P(i,j+1),P(i+1,j+1)のいずれかに近ければ近いほど、元画像に含まれたノイズはそのまま出力される。
【００１３】
【発明が解決しようとする課題】
したがって、図９に示すように、拡大（縮小）後の画像データにはノイズの強度にムラが発生する。すなわち、図９においては、各画素の座標位置を横軸、ノイズ強度を縦軸として表している。
【００１４】
なお、図９は、元画像を1.25倍の画像に拡大する場合について説明している。すなわち、元画像において隣り合う５つの画素ａ１〜ａ５（同図中○印で示す）により区切られた４つの区間は、拡大後の画像において隣り合う６つの画素ｂ１〜ｂ６（同図中●印で示す）の間における５つの区間として拡大されている。
【００１５】
拡大後の画素ｂ１・ｂ６は、元画像の画素ａ１・ａ５の座標位置と一致しているため、ノイズ強度は拡大前の画像と同じである。一方、拡大後の画素ｂ２〜ｂ５は、元画像の各画素間の中心位置に近くなり、ノイズ強度が低くなっている。
【００１６】
また、図９には、元画像データについて５つの画素、拡大後の画像データについて６つの画素が存在する区間を抽出して示した。すなわち、画像全体の画素について見れば、拡大後の画像においてノイズ強度が高くなる部分、およびノイズ強度が低くなる部分が周期的に発生することになる。
【００１７】
このように、拡大（縮小）後の画像データにおいては、ノイズ強度のムラが周期的に発生するため、ノイズを多く含む部分とノイズをそれほど含まない部分が生じることになる。さらに、ノイズを多く含む部分とノイズをそれほど含まない部分とは、見た目の濃度が異なるため、拡大（縮小）後の画像に濃度ムラが生じてしまう。
【００１８】
したがって、拡大（縮小）後の画像では、上記のように生じた濃度ムラが、格子状の縞模様（以下、格子ノイズとする）となって見えてしまうという問題が生じる。たとえば、９７％の縮小処理を行う場合、５ｍｍくらいのピッチで縞模様が発生する。
【００１９】
また、たとえばネガフィルム上のアナログ画像をデジタル画像として読み込み、そのデジタル画像に拡大（縮小）処理を行う場合は以下のようになる。
【００２０】
すなわち、フィルム上の画像がアンダー露出（画像全体の濃度が低濃度気味）であれば、拡大（縮小）後の画像がボヤケてしまうことを防止するため、コントラストを強くする処理が行われる。このコントラストを強くする処理により、拡大（縮小）処理により生じる格子ノイズがより目立ち、画質が劣化するという問題が生じる。
【００２１】
一方、フィルム上の画像がオーバー露出（画像全体の濃度が高濃度気味）である場合でも、撮像デバイスとしてのＣＣＤがフィルムから読み取る光量が少ない。したがって、ＣＣＤの出力が比較的小さく、電気ノイズが多く含まれた情報となり、拡大（縮小）処理後の格子ノイズが画像情報中において目立ち、画質が劣化するという問題が生じる。
【００２２】
このように、入力画像全体の濃度が高濃度気味、あるいは低濃度気味に偏った場合、拡大（縮小）処理により生じる格子ノイズがより目立つようになり、画質が劣化するという問題が生じる。
【００２３】
本発明は、上記従来の問題点に鑑みなされたものであって、その目的は、格子ノイズが低減された良質の画像を出力することができる画像処理装置、画像処理方法、画像処理プログラム、および画像処理プログラムを記録した記録媒体を提供することにある。
【００２４】
【課題を解決するための手段】
本発明の画像処理装置は、上記課題を解決するため、入力画像に拡大縮小処理を施してデジタル画像を出力する画像処理装置において、出力画像における格子ノイズの発生率を予測する格子ノイズ発生率予測手段と、上記格子ノイズ発生率予測手段により予測された格子ノイズの発生率に基づき決定された強度でぼかし処理を行うぼかし処理手段とを備えていることを特徴としている。
【００２５】
また、本発明の画像処理方法は、上記課題を解決するため、入力画像に拡大縮小処理を施してデジタル画像を出力する画像処理方法において、出力画像における格子ノイズの発生率を予測するとともに、予測された格子ノイズの発生率に基づき決定された強度でぼかし処理を行うことを特徴としている。
【００２６】
すなわち、本発明の画像処理装置および画像処理方法は、入力画像に拡大（縮小）処理を施して出力するものである。そして、拡大（縮小）処理後の画像においては、ノイズ強度のムラが発生し、ノイズが多く含まれる部分とそれほど含まない部分とが発生する。このノイズの多少が、濃度の異なる部分として認識され、出力画像に格子状の縞模様（格子ノイズ）が発生する場合がある。
【００２７】
そこで、本発明の画像処理装置では、特に、出力画像における格子ノイズの発生率を予測する格子ノイズ発生率予測手段と、上記格子ノイズ発生率予測手段により予測された格子ノイズの発生率に基づき決定された強度でぼかし処理を行うぼかし処理手段とを備えていることを特徴としている。
【００２８】
また、本発明の画像処理方法では、特に、出力画像における格子ノイズの発生率を予測するとともに、予測された格子ノイズの発生率に基づき決定された強度でぼかし処理を行うことを特徴としている。
【００２９】
すなわち、格子ノイズ発生率予測手段により格子ノイズの発生率が高いと予測される場合は、ぼかし処理手段が行うぼかし処理の強度を強く決定することにより、入力画像中に含まれているノイズをぼかすことができる。
【００３０】
したがって、拡大（縮小）後の出力画像中において、ノイズが多い部分と少ない部分との濃度の差を小さくすることができる。
【００３１】
それゆえ、格子ノイズが低減された良質の画像を出力することができるという効果を奏する。
【００３２】
また、本発明の画像処理装置は、上記課題を解決するため、上記構成の画像処理装置において、上記ぼかし処理手段によるぼかし処理は、拡大縮小処理の前に行われることを特徴としている。
【００３３】
また、本発明の画像処理方法は、上記課題を解決するため、上記構成の画像処理方法において、上記ぼかし処理は、拡大縮小処理の前に行われることを特徴としている。
【００３４】
上記の画像処理装置および画像処理方法によれば、ぼかし処理を拡大縮小処理の前に行う。したがって、拡大縮小処理によってノイズ強度のムラが発生する前に入力画像に含まれているノイズを低減することができる。したがって、拡大（縮小）後の出力画像中において、ノイズが多い部分と少ない部分との濃度の差をより小さくすることができる。
【００３５】
それゆえ、より格子ノイズが低減された良質の画像を出力することができるという効果を奏する。
【００３６】
また、本発明の画像処理装置は、上記課題を解決するため、上記構成の画像処理装置において、上記格子ノイズ発生率予測手段は、入力画像の濃度に基づいて格子ノイズの発生率を予測することを特徴としている。
【００３７】
また、本発明の画像処理方法は、上記課題を解決するため、上記構成の画像処理方法において、入力画像の濃度に基づいて格子ノイズの発生率を予測することを特徴としている。
【００３８】
すなわち、格子ノイズの発生率は、入力画像における露出の程度によって変化する。たとえば入力画像がネガフィルム上のアナログ画像である場合、入力画像がアンダー露出であれば、コントラストを強くする処理により格子ノイズが目立つようになる。一方、オーバー露出であれば、撮像デバイスとしてのＣＣＤの出力が小さくなり、格子ノイズが画像情報中において目立つようになる。
【００３９】
そこで、本発明の画像処理装置では、特に、格子ノイズ発生率予測手段が、入力画像の濃度に基づいて格子ノイズの発生率を予測することを特徴としている。
【００４０】
また、本発明の画像処理方法では、特に、入力画像の濃度に基づいて格子ノイズの発生率を予測することを特徴としている。
【００４１】
すなわち、入力画像の露出は、入力画像の濃度から判断することができる。したがって、入力画像の濃度に基づいて格子ノイズの発生率を予測すれば、露出に基づいた予測を行っていることに実質的に等しくなり、的確な予測を行うことができる。
【００４２】
それゆえ、より格子ノイズが低減された良質の画像を出力することができるという効果を奏する。
【００４３】
また、本発明の画像処理装置は、上記課題を解決するため、上記構成の画像処理装置において、上記入力画像の濃度が、該入力画像の平均濃度であることを特徴としている。
【００４４】
また、本発明の画像処理方法は、上記課題を解決するため、上記構成の画像処理方法において、上記入力画像の濃度は、該入力画像の平均濃度であることを特徴としている。
【００４５】
上記の構成によれば、入力画像の平均濃度に基づいて格子ノイズの発生率が予測される。入力画像の平均濃度は、入力画像の露出を把握するために最も適したパラメータであるので、より的確に格子ノイズの発生率を予測することができる。
【００４６】
それゆえ、より格子ノイズが低減された良質の画像を出力することができるという効果を奏する。
【００４７】
また、本発明の画像処理装置は、上記課題を解決するため、上記構成の画像処理装置において、入力画像の濃度が最大値あるいは最小値に近づくにしたがって、格子ノイズの発生率が上昇する予測テーブルを用いて、格子ノイズの発生率を予測することを特徴としている。
【００４８】
また、本発明の画像処理方法は、上記課題を解決するため、上記構成の画像処理方法において、入力画像の濃度が最大値あるいは最小値に近づくにしたがって、格子ノイズの発生率が上昇する予測テーブルを用いて、格子ノイズの発生率を予測することを特徴としている。
【００４９】
たとえば入力画像がネガフィルム上のアナログ画像である場合、入力画像におけるアンダー露出の度合いが強いほど、すなわち濃度が低いほど、コントラストをより強くする必要があるため、格子ノイズの発生率が上昇する。一方、オーバー露出の度合いが強いほど、すなわち濃度が高いほど、ＣＣＤの出力が小さくなり、格子ノイズの発生率が上昇する。
【００５０】
そこで、本発明の画像処理装置および画像処理方法では、特に、入力画像の濃度が最大値あるいは最小値に近づくにしたがって、格子ノイズの発生率が上昇する予測テーブルを用いて、格子ノイズの発生率を予測することを特徴としている。したがって、より的確な予測を行うことができる。また、このような予測テーブルを予め格子ノイズ発生率予測手段に設定しておけば、格子ノイズの発生率を予測するための処理を簡略化することができる。
【００５１】
それゆえ、簡易な処理でより格子ノイズが低減された良質の画像を出力することができるという効果を奏する。
【００５２】
また、本発明のプログラムは、上記構成のいずれかの画像処理方法をコンピュータに実行させるためのプログラムであることを特徴としている。
【００５３】
上記のプログラムによれば、本発明の画像処理方法をコンピュータに実行させるので、格子ノイズが低減された良好な画質のデジタル画像を出力することができるという効果を奏する。
【００５４】
また、本発明の記録媒体は、上記構成のプログラムを記録したコンピュータ読み取り可能な記録媒体であることを特徴としている。
【００５５】
上記の記録媒体によれば、格子ノイズが低減された良好な画質の出力画像を得ることができる画像処理方法を実行するプログラムを、コンピュータに供給することが容易となるという効果を奏する。
【００５６】
【発明の実施の形態】
本発明の実施の一形態について図１ないし図７に基づいて説明すれば、以下の通りである。
【００５７】
図１に示すように、本実施形態に係るデジタル露光システムは、フィルムスキャナ１と、画像処理装置２と、写真焼付装置３とを備えている。
【００５８】
フィルムスキャナ１は、たとえば写真フィルムであるネガフィルムを介して得られる光をＣＣＤ（Charge Coupled Device）等で受光することにより、ネガフィルムに記録された画像を読み取るとともに、該画像に応じた画像データをＲ，Ｇ，Ｂごとに画像処理装置２に出力する。
【００５９】
写真焼付装置３は、画像処理装置２からの画像データに基づいて感光材料である印画紙を露光することにより、印画紙上に画像を焼き付けるデジタルプリンタである。印画紙に露光する露光部としては、デジタル画像データに応じて印画紙への照射光を変調できるものであればよく、たとえば、ＰＬＺＴ露光ヘッド、ＤＭＤ（デジタルマイクロミラーデバイス）、ＬＣＤ（液晶表示装置）、ＬＥＤパネル、レーザー、ＦＯＣＲＴ（Fiber Optic Canthode Ray Tube）、ＣＲＴ等で構成される。なお、写真焼付装置３は、ネガフィルムのスキャニングと印画紙の露光とを両方行うことができる構成であってもよい。この場合、デジタル露光システムを画像処理装置２と写真焼付装置３とで構成することにより、システムの簡素化を図ることができる。
【００６０】
画像処理装置２は、格子ノイズ予測部（格子ノイズ発生率予測手段）５と、前ぼかし処理部（ぼかし処理手段）６と、拡大縮小処理部７と、基本鮮鋭強度演算部８と、調整量算出部９と、鮮鋭強度決定部１０と、鮮鋭化処理部（鮮鋭化処理手段）１１とを備えている。なお、図１の画像処理装置２は、主に前ぼかし処理、拡大縮小処理、鮮鋭化処理に関する構成を示したものである。すなわち、画像処理装置２が一般的に行う色補正、濃度補正、階調変換等の処理に関する構成は、図１における記載を省略している。
【００６１】
格子ノイズ予測部５は、出力画像において発生する格子ノイズの度合いを予測するものである。格子ノイズ予測部５が格子ノイズの発生度合いを予測する手順については後述する。
【００６２】
前ぼかし処理部６は、格子ノイズ予測部５が予測した格子ノイズの発生度合いから、入力画像中に含まれているノイズを予めぼかすための前ぼかし強度を決定するとともに、決定された前ぼかし強度で前ぼかし処理を行うものである。前ぼかし処理部６が前ぼかし処理を行う手順については後述する。
【００６３】
拡大縮小処理部７は、従来技術の欄において説明したように、線型補間法、３次元補間法等によって補間画素を求めて画素数を変化させることによって、元画像の拡大縮小処理を行うものである。
【００６４】
基本鮮鋭強度演算部８は、出力画像において格子ノイズを低減することを考慮しない場合の鮮鋭強度（以下、基本鮮鋭強度とする）を求めるものである。基本鮮鋭強度演算部８が基本鮮鋭強度を求める手順の詳細については後述する。
【００６５】
調整量算出部９は、前ぼかし処理部６で決定された前ぼかし強度に基づいて、格子ノイズを低減する鮮鋭化処理を行うための基本鮮鋭強度の調整量を決定するものである。
【００６６】
鮮鋭強度決定部１０は、基本鮮鋭強度演算部８により決定された基本鮮鋭強度と、調整量算出部にて決定された調整量とに基づいて、格子ノイズを低減する鮮鋭強度を決定するものである。調整量算出部９が調整量を決定する手順、および鮮鋭強度決定部１０が調整後の基本鮮鋭強度を決定する手順については後述する。
【００６７】
鮮鋭化処理部１１は、鮮鋭強度決定部１０により調整された基本鮮鋭強度に基づき鮮鋭化処理を行うものである。この鮮鋭化処理を行うことにより、前ぼかし処理により一旦ぼかされた元画像の鮮鋭度が再現される。鮮鋭化処理部１１が行う鮮鋭化処理については後述する。
【００６８】
上記構成により、本実施の形態における画像処理装置２は、前ぼかし処理部６により入力画像中に含まれたノイズをぼかした後に画像を写真焼付装置３に出力する。また、本実施の形態における画像処理装置２は、鮮鋭強度決定部１０により決定された鮮鋭強度を用いて鮮鋭化処理部１１により鮮鋭化処理を行うので、前ぼかし処理により一旦ぼかされた元画像の鮮鋭度は再現されている。したがって、写真焼付装置３により出力される画像は、格子ノイズが低減され、なおかつ良好な鮮鋭度の画像となる。
【００６９】
なお、基本鮮鋭強度演算部８と、調整量算出部９と、鮮鋭強度決定部１０と、鮮鋭化処理部１１とからなるブロックを、前ぼかし処理部６と、拡大縮小処理部７との間に設けることも可能である。
【００７０】
次に、上述の（１）格子ノイズ予測部５が格子ノイズの発生度合いを予測する手順、（２）前ぼかし処理部６が前ぼかし処理を行う手順、（３）基本鮮鋭強度演算部８が基本鮮鋭強度を求める手順、（４）調整量算出部９が調整量を決定する手順および鮮鋭強度決定部１０が調整後の基本鮮鋭強度を決定する手順、（５）鮮鋭化処理部１１が行う鮮鋭化処理について、順番に詳細に説明する。
【００７１】
（１）格子ノイズ予測部５が格子ノイズの発生度合いを予測する手順
格子ノイズ予測部５は、拡大率および画像濃度に基づいて格子ノイズの発生度合いを予測する。以下では、（Ａ）拡大率に基づいて格子ノイズの発生度合いを予測する場合、（Ｂ）画像濃度に基づいて格子ノイズの発生度合いを予測する場合について、順番に説明する。
【００７２】
（Ａ）拡大率に基づいて格子ノイズの発生度合いを予測する場合
格子ノイズ予測部５は、たとえば図２に示すような予測テーブルに基づいて、拡大率ｒから格子ノイズの発生率ωを予測する。なお、拡大率が１以下である場合は、縮小処理を行う場合を表している。
【００７３】
図２に示すように、予測テーブルにおいては、拡大率ｒが横軸として設定され、格子ノイズの発生率ωが縦軸として設定されている。さらに、予測テーブルの横軸には、４つの閾値Ａ・Ｂ・Ｃ・Ｄ（Ａ＜Ｂ＜１＜Ｃ＜Ｄ）が設定されている。
【００７４】
さらに、予測テーブルにおいては、Ｂ＜ｒ＜Ｃであるとき、格子ノイズ発生率ωは１００（％）と設定されている。また、拡大率ｒがＡからＢまで変化する場合、およびＣからＤまで変化する場合、格子ノイズ発生率ωが０（％）から１００（％）まで増加（減少）するように設定されている。さらに拡大率ｒがＡ以下である場合、およびＤ以上である場合については、格子ノイズ発生率ωは０（％）として設定されている。
【００７５】
なお、拡大率ｒが１である場合は、格子ノイズ発生率は０として設定されている。そのため、図２に示すような予測テーブルでは、ｒ＝１を通り横軸に直交する縦線が設定されている。
【００７６】
上記のように予測テーブルを設定することができる理由について、図３を参照しつつ説明する。
【００７７】
図３には、元画像を1.25倍、2.1倍、および3.3倍の画像に拡大する場合のそれぞれの場合について、画素位置とノイズ強度との関係を示している。同図中において、元画像の画素ａ１〜ａ５は○印で示され、拡大率が1.25である場合の画素ｂ１〜ｂ６は●印で示され、拡大率が2.1である場合の画素ｃ１〜ｃ９は▲印で示され、拡大率が3.3である場合の画素ｄ１〜ｄ１４は■で示されている。
【００７８】
同図に示すように、拡大率が1.25倍であるとき、拡大後の画素ｂ３は、元画像の画素ａ２と画素ａ３との中心付近となる。また、拡大後の画素ｂ４は、元画像の画素ａ３と画素ａ４との中心付近となる。したがって、拡大後の画素ｂ３・ｂ４においてノイズ強度が低下する。
【００７９】
そして、拡大率が１に近づく場合、上記のようにノイズ強度が低下する画素がより多く連続すると考えられる。すなわち、拡大後の画像において、肉眼で判別できる程度の長い区間に亘ってノイズ強度が低下し、格子ノイズが発生し易くなるのである。
【００８０】
一方、拡大率が2.1倍である場合は、たとえば拡大後の画素ｃ２が元画像の画素ａ１と画素ａ２との中心付近に位置するため、ノイズ強度が低下する。しかしながら、画素ｃ２に隣接する画素ｃ１・ｃ３は、それぞれ元画像の画素ａ１・ａ２付近にあるため、ノイズ強度が強くなる。
【００８１】
また、拡大率が3.3倍である場合は、たとえば拡大後の画素ｄ６が元画像の画素ａ２と画素ａ３との中心付近に位置するため、ノイズ強度が低下する。しかし、画素ｄ６に隣接する画素ｄ５・ｄ７は、それぞれ元画像の画素ａ２・ａ３付近にあるため、ノイズ強度が強くなる。
【００８２】
すなわち、拡大率が１から大きくなっていく場合、ノイズ強度が低下する画素は、それほど多く連続しないと考えられる。すなわち、拡大後の画像においては、ノイズ強度が低下する画素が存在するものの、その画素に隣接する画素ではノイズ強度が強くなっている。すなわち、ノイズ強度が低下する区間は肉眼で判別できない程度に短い区間となるため、格子ノイズが発生しにくくなるのである。
【００８３】
上記した理由に基づけば、図２に示すような予測テーブルを用いることによって、拡大率から格子ノイズの発生率を予測することができる。
【００８４】
（Ｂ）画像濃度に基づいて格子ノイズの発生度合いを予測する場合
格子ノイズ予測部５は、たとえば図４に示すような予測テーブルを用いて、全体平均濃度から格子ノイズの発生率ωを判定する。
【００８５】
図４に示すように、上記の予測テーブルにおいては、フィルム上の画像における全体平均濃度の対数値が横軸として設定され、格子ノイズの発生率が縦軸として設定されている。さらに、予測テーブルの横軸には、２つの閾値Ｅ，Ｆ（Ｅ＜Ｆ）が設定されている。
【００８６】
たとえば、フィルムスキャナ１がネガフィルム上の画像を１２ビットのデジタル画像として読み込む場合について以下に説明する。
【００８７】
この場合、入力画像が取り得る濃度の最小値は０であって、最大値はｌｎ２12＝８．３である。また、全体平均濃度の対数値が小さいほど、ネガフィルム上の画像は暗く、アンダー露出である確率が高いといえる。一方、全体平均濃度の対数値が大きいほど、ネガフィルム上の画像が明るく、オーバー露出である確率が高いといえる。
【００８８】
そこで、予測テーブルにおいては、全体平均濃度の対数値が０であるときに格子ノイズの発生率を１００％とし、全体平均濃度の対数値が閾値Ｅであるときに格子ノイズの発生率を０％としている。そして、予測テーブル上における２点（０，１００）と（Ｅ，０）とを結んだ直線を、全体平均濃度の対数値が０から閾値ａまでの場合の格子ノイズの発生率としている。
【００８９】
一方、全体平均濃度の対数値が８．３であるときに格子ノイズの発生率を１００％とし、全体平均濃度の対数値が閾値Ｆであるときに格子ノイズの発生率を０％としている。そして、予測テーブル上における２点（ｂ，０）と（８．３，１００）とを結んだ直線を、全体平均濃度の対数値がｂから閾値８．３までの場合の格子ノイズの発生率としている。なお、上記の直線は、曲線であってもよい、
なお、全体平均濃度の対数値がＥからＦまでの値である場合、格子ノイズが発生しないものとして、格子ノイズの発生率を０としている。
【００９０】
上記のように作成された予測テーブルを用いて、格子ノイズ予測部５は、全体平均濃度から格子ノイズの発生率を求める。
【００９１】
なお、このように予測テーブルを設定することができるのは、従来技術の欄において説明したように、アンダー露出の場合には、コントラストを強くする処理により、格子ノイズが目立つ場合があるからである。
【００９２】
一方、オーバー露出の場合には、ＣＣＤの出力が小さくなるために格子ノイズが出力画像中において目立つ場合があるからである。
【００９３】
また、上記のように全体平均濃度に基づいて格子ノイズの発生率を予測しているのは、画像の露出を把握するためには全体平均濃度に基づく方法が最も適しているからである。したがって、全体平均濃度に基づいて格子ノイズの発生率を予測する場合に限定されず、画像における特定の部分の濃度から格子ノイズの発生率を予測してもよい。
【００９４】
このようにして、画像濃度に基づいて格子ノイズの発生度合いを予測することができる。
【００９５】
なお、格子ノイズ予測部５は、上記（Ａ）、（Ｂ）のいずれかの方法により格子ノイズが発生しないということを予測することができる。すなわち、格子ノイズは、拡大率ｒがＡ＜ｒ＜Ｄなる関係にあって、なおかつ全体平均濃度がＥ以下あるいはＦ以上の場合に発生する。したがって、格子ノイズが発生しないということを予測するためには、拡大率、または全体平均濃度が上記の関係にないということを判定すればよい。
【００９６】
（２）前ぼかし処理部６が前ぼかし処理を行う手順
前ぼかし処理部６は、以下の式（１１）に基づいて、前ぼかし強度Ｓを求める。
【００９７】
Ｓ＝Ｓｍａｘ×ω                      …式（１１）
なお、Ｓｍａｘは、前ぼかし処理において取り得る前ぼかし強度の最大値であって、たとえば１２８、あるいは６４というように任意の値として予め設定することができる。また、ωは、格子ノイズ予測部５が予測した格子ノイズの発生率である。
【００９８】
次に、入力画像データに対して、たとえば図５に示すような３×３の移動平均フィルタを用いてフィルタリングを行い、画像全体をぼけた感じにさせる。なお、フィルタリングとは、一般的に、所望のフィルタを用いて注目画素の画像データを変換する処理を、画像の端部を除く全ての画素について注目画素を１個ずつずらしながら行うことを言う。また、前ぼかし処理においては、メディアンフィルタ、ガウシアンフィルタ等によりフィルタリングを行ってもよい。
【００９９】
次に、以下の式（１２）に基づいて、前ぼかし処理前の注目画素の元データｄから、前ぼかし処理後の注目画素のデータｄ’を求める。
【０１００】
ｄ’＝ｄ＋（ｘ／ｓｕｍ−ｄ）×（Ｓ／Ｓｍａｘ）
＝ｄ＋（ｘ／ｓｕｍ−ｄ）×ω            …式（１２）
なお、上記式（１２）において、Ｓ，Ｓｍａｘは、上記式（１１）における定義と同一である。また、ｘは前ぼかし処理に用いるフィルタ内の各画素にフィルタリングを施した計算結果の合計値である。ｓｕｍは、前ぼかし処理に用いるフィルタの画素数を表している。
【０１０１】
式（１２）によれば、格子ノイズの発生率ωが大きいときは、前ぼかし強度が大きくなる。すなわち、出力画像中において格子ノイズによる画質の劣化が生じる確率が高いと予想される場合、より大きな前ぼかし強度で前ぼかし処理を行い、入力画像中に含まれたノイズをより強くぼかすことができる。
【０１０２】
上記のように、式（１１）および式（１２）に基づいて注目画素のデータｄ’を求めることにより、前ぼかし処理部６は前ぼかし処理を行う。
【０１０３】
（３）基本鮮鋭強度演算部８が基本鮮鋭強度を求める手順
図６に示すように、基本鮮鋭強度演算部８が基本鮮鋭強度を求める手順においては、先ず、Ｓ１にて、フィルムスキャナ１により画像を読み込まれるフィルムの種類が判別される。
【０１０４】
具体的には、フィルムがネガフィルムあるいはポジフィルムであるのかを判別するとともに、フィルムの大きさを判別する。フィルムの大きさとしては、たとえばＪＩＳ規格による１１０フィルム、１２０フィルム、１３５フィルム等がある。
【０１０５】
次に、Ｓ２にて、フィルムスキャナ１の解像度を取得する。なお、解像度は、フィルムスキャナ１におけるズームレンズの倍率に依存して決定されるものである。たとえば、ズームレンズの倍率が0.88から2.0まで変化するとき、解像度は、1200×1800ＤＰＩ（Dot Per Inch）から3000×2000ＤＰＩまで変化させることが可能である。すなわち、ズームレンズの倍率が大きくなるにしたがって、解像度は大きくなるように決定される。
【０１０６】
次に、Ｓ３にて、拡大率を算出する。拡大率とは、フィルムスキャナ１におけるＣＣＤの入力画素数と出力画素数とに依存して決定されるものである。
【０１０７】
このようにＳ１〜Ｓ３にて得られるフィルム種と、入力解像度と、拡大率とから、Ｓ４にて基本鮮鋭強度が決定される。
【０１０８】
すなわち、Ｓ１にて判定されるフィルム種類がネガフィルムである場合、基本鮮鋭強度は小さく設定される。一方、フィルム種類がポジフィルムである場合、基本鮮鋭強度は大きく設定される。
【０１０９】
また、Ｓ２にて取得された解像度が高い解像度であるほど、出力画像において鮮鋭度を高める必要があるため、基本鮮鋭強度は大きく設定される。
【０１１０】
一方、Ｓ３にて算出された拡大率が大きいほど、基本鮮鋭強度は大きく設定される。
【０１１１】
なお、上記では、Ｓ１，Ｓ２，Ｓ３のステップを踏んだ後にＳ４にて基本鮮鋭強度が決定される旨を説明したが、Ｓ１〜Ｓ３の順番は、必ずしもこれに限定されるものではない。すなわち、Ｓ１〜Ｓ３のステップは、いずれのステップから初めてもよいし、Ｓ１〜Ｓ３のステップを同時に行ってもよい。
【０１１２】
（４）調整量算出部９が調整量を決定する手順および鮮鋭強度決定部１０が調整後の基本鮮鋭強度を決定する手順
図７に示すように、先ず、Ｓ１１にて、調整量算出部９は、基本鮮鋭強度演算部８が求めた基本鮮鋭強度α、および格子ノイズ予測部５が予測した格子ノイズの発生率ωを取得する。
【０１１３】
その後、調整量算出部９は、以下の式（１３）に基づいて、基本鮮鋭強度αの調整量Δαを算出する（Ｓ１２）。
【０１１４】
Δα＝αω                …式（１３）
その後、鮮鋭強度決定部１０は、以下の式（１４）に基づいて、基本鮮鋭強度αと、調整量Δαとから、調整後の基本鮮鋭強度α’を求める（Ｓ１３）。
【０１１５】
α’＝α＋Δα
＝（１＋ω）α        …式（１４）
以上のＳ１１〜Ｓ１３を踏むことにより、調整後の基本鮮鋭強度α’が求められる。調整後の基本鮮鋭強度α’は、後述する鮮鋭化処理部１１における鮮鋭化処理において用いられる。
【０１１６】
なお、式（１４）からわかるように、格子ノイズの発生率ωが大きくなるに従って、調整後の基本鮮鋭強度α’は大きくなるように設定される。すなわち、格子ノイズの発生率ωが大きくなるときは、式（１２）から前ぼかし強度Ｓが大きく設定され、前ぼかし処理後の画像がよりボヤケた状態となる。このように、前ぼかし処理により画像がボヤケた状態となっても、大きな基本鮮鋭強度α’で鮮鋭化処理を行うので、入力画像の鮮鋭度を復元することができる。
【０１１７】
（５）鮮鋭化処理部１１が行う鮮鋭化処理
鮮鋭化処理の具体的な方法としては、１次微分演算による強調や２次微分演算（ラプラシアン）による強調などがある。すなわち、前ぼかし処理による画像のボヤケを復元させたり、画像におけるエッジを強調したりする鮮鋭化処理であれば、どのような鮮鋭化処理を採用してもよい。以下の説明では、比較的簡単に強調処理を行うことができることから広く用いられているラプラシアンによる強調を例示する。
【０１１８】
一般的なラプラシアンによる処理は、原画像の画像データにおける各画素値から、その画像データの各画素におけるラプラシアンをマイナスすることによってエッジの強調が行われる。原画像の画像データにおける各画素値、すなわち原信号をf(i,j)（i,jは座標を表す）、ラプラシアンによる処理が施された後の各画素、すなわち処理済信号をF(i,j)とすると、上記の処理は次式（１５）で表される。
【０１１９】
F(i,j)=f(i,j)-α・∇2f(i,j)              …式（１５）
本実施の形態における鮮鋭化処理部１１では、鮮鋭強度としてＳ１３において求められた調整後の基本鮮鋭強度α’を用いる。したがって、鮮鋭化処理部１１による鮮鋭化処理が施された後の信号F'(i,j)は、次式（１６）で表される。
【０１２０】
F(i,j)=f(i,j)-α’・∇2f(i,j)
= f(i,j)-α（１＋ω）・∇2f(i,j)                …式（１６）
なお、式（１５）からわかるように、格子ノイズの発生率ωが大きくなるに従って、調整後の基本鮮鋭強度α’は大きくなるように設定される。すなわち、格子ノイズの発生率ωが大きくなるときは、式（１２）から前ぼかし強度Ｓが大きく設定され、前ぼかし処理後の画像がよりボヤケた状態となる。このように、前ぼかし処理により画像がボヤケた状態となっても、大きな基本鮮鋭強度α’で鮮鋭化処理を行うので、入力画像の鮮鋭度を復元することができる。
【０１２１】
なお、以上説明した画像処理装置２は、画像処理方法としてコンピュータに実行させるための画像処理プログラムにより実現してもよい。このプログラムは、たとえばＣＤＲＯＭ等のコンピュータで読み取り可能な図示しない記録媒体に格納してもよい。また、このような画像処理プログラムを動作させることが可能なマイクロプロセッサやＤＳＰ（Digital Signal Processor）などのデジタル回路によって画像処理装置を構成することも可能である。
【０１２２】
また、本実施の形態においては、画像処理装置２への入力画像が、ネガフィルム上に記録されたアナログ画像である場合について説明した。しかし、入力画像がアナログ画像である場合に必ずしも限定されず、本発明の画像処理装置は、デジタル画像を入力画像とする場合にも適用することができる。
【０１２３】
さらに、本実施の形態においては、拡大縮小処理部７を鮮鋭化処理部１１の前段に設ける場合について説明した。しかし、必ずしもこの構成に限定されるものではなく、拡大縮小処理部７は、鮮鋭化処理部１１の後段に設けてもよい。この場合、拡大縮小処理部７の後段に更に鮮鋭化処理部を設ければよい。これにより、拡大（縮小）処理によって生じる画像のボヤケを復元することができる。
【０１２４】
このように、本発明の画像処理装置は、上記構成の画像処理装置において、上記格子ノイズ発生率予測手段が、出力画像の入力画像に対する拡大率に基づいて格子ノイズの発生率を予測することを特徴としている。
【０１２５】
また、本発明の画像処理方法は、出力画像の入力画像に対する拡大率に基づいて格子ノイズの発生率を予測することを特徴としている。
【０１２６】
すなわち、格子ノイズの発生は、拡大（縮小）処理を行う際の拡大率に影響を受けやすい。すなわち、拡大率が変化すれば、拡大（縮小）後の画像におけるノイズ強度のムラも大きさも変化し、格子ノイズの発生率も変化する。
【０１２７】
本発明の画像処理装置において格子ノイズ発生率予測手段は、拡大率に基づいて格子ノイズの発生率を予測しているので、より的確な予測を行うことができる。また、本発明の画像処理方法においても、拡大率に基づいて格子ノイズの発生率を予測しているので、より的確な予測を行うことができる
それゆえ、より格子ノイズが低減された良質の画像を出力することができるという効果を奏する。
【０１２８】
また、本発明の画像処理装置は、上記構成の画像処理装置において、上記拡大率が１付近の値に近づくにしたがって、格子ノイズの発生率が上昇する予測テーブルを用いて、格子ノイズの発生率を予測することを特徴としている。
【０１２９】
また、本発明の画像処理方法は、上記構成の画像処理方法において、上記拡大率が１付近の値に近づくにしたがって、格子ノイズの発生率が上昇する予測テーブルを用いて、格子ノイズの発生率を予測することを特徴としている。
【０１３０】
すなわち、拡大率が１付近の値である場合は、拡大（縮小）後の画像におけるノイズ強度のムラが大きくなるため、格子ノイズが発生しやすくなる。
【０１３１】
本発明の画像処理装置および画像処理方法では、上記拡大率が１付近の値に近づくにしたがって、格子ノイズの発生率が上昇する予測テーブルを用いて格子ノイズの発生率を予測する。したがって、より的確な予測を行うことができる。また、このような予測テーブルを予め格子ノイズ発生率予測手段に設定しておけば、格子ノイズの発生率を予測するための処理を簡略化することができる。
【０１３２】
それゆえ、簡易な処理でより格子ノイズが低減された良質の画像を出力することができるという効果を奏する。
【０１３３】
また、本発明の画像処理装置は、上記構成の画像処理装置において、上記格子ノイズ発生率予測手段により予測された格子ノイズの発生率に基づき調整された強度で鮮鋭化処理を行う鮮鋭化処理手段を備えていることを特徴としている。
【０１３４】
また、本発明の画像処理方法は、上記構成の画像処理方法において、予測された格子ノイズの発生率に基づき調整された強度で鮮鋭化処理を行うことを特徴としている。
【０１３５】
すなわち、格子ノイズの発生率が高いと予測される場合は、ぼかし処理手段が行うぼかし処理の強度は強く決定され、入力画像はよりぼやけた状態となる。
【０１３６】
そこで、本発明の画像処理装置では、特に、格子ノイズ発生率予測手段により予測された格子ノイズの発生率に基づき調整された強度で鮮鋭化処理を行う鮮鋭化処理手段を備えていることを特徴としている。
【０１３７】
また、本発明の画像処理方法では、特に、予測された格子ノイズの発生率に基づき調整された強度で鮮鋭化処理を行うことを特徴としている。
【０１３８】
すなわち、格子ノイズの発生率が高い場合において、格子ノイズの発生率が低い場合よりも強い強度で鮮鋭化処理を行うように鮮鋭化処理手段を設定することができる。したがって、上記のようにぼかし手段が強い強度でぼかし処理を行い入力画像がぼやけた状態となっても、鮮鋭化処理手段を用いて強い鮮鋭強度で鮮鋭化処理を行い、入力画像の鮮鋭度を復元することができる。
【０１３９】
それゆえ、格子ノイズが低減されているとともに、鮮鋭度が良好な画像を出力することができるという効果を奏する。
【０１４０】
【発明の効果】
本発明の画像処理装置は、以上のように、出力画像における格子ノイズの発生率を予測する格子ノイズ発生率予測手段と、上記格子ノイズ発生率予測手段により予測された格子ノイズの発生率に基づき決定された強度でぼかし処理を行うぼかし処理手段とを備えているものである。
【０１４１】
また、本発明の画像処理方法は、以上のように、出力画像における格子ノイズの発生率を予測するとともに、予測された格子ノイズの発生率に基づき決定された強度でぼかし処理を行う方法である。
【０１４２】
上記構成によれば、格子ノイズの発生率が高いと予測される場合は、前ぼかし処理の強度を強く決定することにより、入力画像中に含まれているノイズをぼかすことができる。したがって、拡大（縮小）後の出力画像中において、ノイズが多い部分と少ない部分との濃度の差を小さくすることができる。
【０１４３】
それゆえ、格子ノイズが低減された良質の画像を出力することができるという効果を奏する。
【０１４４】
また、本発明の画像処理装置は、以上のように、上記構成の画像処理装置において、上記ぼかし処理手段によるぼかし処理を、拡大縮小処理の前に行うものである。
【０１４５】
また、本発明の画像処理方法は、以上のように、上記構成の画像処理方法において、上記ぼかし処理を、拡大縮小処理の前に行うものである。
【０１４６】
上記の画像処理装置および画像処理方法によれば、ぼかし処理を拡大縮小処理の前に行う。したがって、拡大縮小処理によってノイズ強度のムラが発生する前に入力画像に含まれているノイズを低減することができる。したがって、拡大（縮小）後の出力画像中において、ノイズが多い部分と少ない部分との濃度の差をより小さくすることができる。
【０１４７】
それゆえ、より格子ノイズが低減された良質の画像を出力することができるという効果を奏する。
【０１４８】
また、本発明の画像処理装置は、以上のように、上記構成の画像処理装置において、上記格子ノイズ発生率予測手段は、入力画像の濃度に基づいて格子ノイズの発生率を予測するものである。
【０１４９】
また、本発明の画像処理方法は、以上のように、上記構成の画像処理方法において、入力画像の濃度に基づいて格子ノイズの発生率を予測する方法である。
【０１５０】
すなわち、格子ノイズの発生率は、入力画像における露出の程度によって変化する。また、入力画像の濃度に基づいて格子ノイズの発生率を予測すれば、露出に基づいた予測を行っていることに実質的に等しくなり、的確な予測を行うことができる。
【０１５１】
それゆえ、より格子ノイズが低減された良質の画像を出力することができるという効果を奏する。
【０１５２】
また、本発明の画像処理装置は、以上のように、上記構成の画像処理装置において、上記入力画像の濃度が、該入力画像の平均濃度であるものである。
【０１５３】
また、本発明の画像処理方法は、以上のように、上記構成の画像処理方法において、上記入力画像の濃度は、該入力画像の平均濃度である方法である。
【０１５４】
上記の構成によれば、入力画像の平均濃度に基づいて格子ノイズの発生率が予測される。入力画像の平均濃度は、入力画像の露出を把握するために最も適したパラメータであるので、より的確に格子ノイズの発生率を予測することができる。
【０１５５】
それゆえ、より格子ノイズが低減された良質の画像を出力することができるという効果を奏する。
【０１５６】
また、本発明の画像処理装置は、以上のように、上記構成の画像処理装置において、入力画像の濃度が最大値あるいは最小値に近づくにしたがって、格子ノイズの発生率が上昇する予測テーブルを用いて、格子ノイズの発生率を予測するものである。
【０１５７】
また、本発明の画像処理方法は、以上のように、上記構成の画像処理方法において、入力画像の濃度が最大値あるいは最小値に近づくにしたがって、格子ノイズの発生率が上昇する予測テーブルを用いて、格子ノイズの発生率を予測する方法である。
【０１５８】
たとえば入力画像がネガフィルム上のアナログ画像である場合、入力画像におけるアンダー露出の度合いが強いほど、すなわち濃度が高いほど、コントラストをより強くする必要があるため、格子ノイズの発生率が上昇する。一方、オーバー露出の度合いが強いほど、すなわち濃度が低いほど、ＣＣＤの出力が小さくなり、格子ノイズの発生率が上昇する。
【０１５９】
したがって、上記のような予測テーブルを用いて予測すれば、より的確な予測を行うことができる。また、このような予測テーブルを予め設定しておけば、格子ノイズの発生率を予測するための処理を簡略化することができる。
【０１６０】
それゆえ、簡易な処理でより格子ノイズが低減された良質の画像を出力することができるという効果を奏する。
【０１６１】
また、本発明のプログラムは、上記構成のいずれかの画像処理方法をコンピュータに実行させるためのプログラムである。
【０１６２】
上記のプログラムによれば、本発明の画像処理方法をコンピュータに実行させるので、格子ノイズが低減された良好な画質のデジタル画像を出力することができるという効果を奏する。
【０１６３】
また、本発明の記録媒体は、上記構成のプログラムを記録したコンピュータ読み取り可能な記録媒体である。
【０１６４】
上記の記録媒体によれば、格子ノイズが低減された良好な画質の出力画像を得ることができる画像処理方法を実行するプログラムを、コンピュータに供給することが容易となるという効果を奏する。
【図面の簡単な説明】
【図１】  本発明の一実施形態に係る画像処理装置および該画像処理装置を含むデジタル露光システムの構成を示すブロック図である。
【図２】  図１の画像処理装置における格子ノイズ予測部が拡大率に基づいて格子ノイズ発生率を予測するために用いる予測テーブルを示す模式図である。
【図３】  元画像を1.25倍、2.1倍、および3.3倍の画像に拡大する場合のそれぞれの場合について、画素位置とノイズ強度との関係を示す模式図である。
【図４】  図１の画像処理装置における格子ノイズ予測部が入力画像の濃度に基づいて格子ノイズ発生率を予測するために用いる予測テーブルを示す模式図である。
【図５】  図１の画像処理装置における前ぼかし処理部が前ぼかし処理を行う際に用いる移動平均フィルタの一例を示す模式図である。
【図６】  図１の画像処理装置における基本鮮鋭強度演算部が基本鮮鋭強度を求める手順を示すフローチャートである。
【図７】  図１の画像処理装置における調整量算出部が調整量を決定する手順および鮮鋭強度決定部が調整後の基本鮮鋭強度を決定する手順を示すフローチャートである。
【図８】  線型補間法における補間対象画素と元画像画素との位置関係、および演算に用いるパラメータを示す模式図である。
【図９】  元画像を1.25倍の画像に拡大する場合について、画素位置とノイズ強度との関係を示す模式図である。
【符号の説明】
２  画像処理装置
５  格子ノイズ予測部（格子ノイズ発生率予測手段）
６  前ぼかし処理部（ぼかし処理手段）
１１  鮮鋭化処理部（鮮鋭化処理手段）
【図１】
0003719213.tif 000002
【図２】
0003719213.tif 000003
【図３】
0003719213.tif 000004
【図４】
0003719213.tif 000005
【図５】
0003719213.tif 000006
【図６】
0003719213.tif 000007
【図７】
0003719213.tif 000008
【図８】
0003719213.tif 000009
【図９】
0003719213.tif 000010